(57)【要約】【課題】本発明は、本物感、無垢感に優れた建材及びその製造方法を提供する。【解決手段】本発明の建材１は、基材１０と、基材１０に積層された表面材２０と、を備える積層構造体５からなり、積層構造体５の表面材２０の一部が基材１０が露出するように凹設された目地基部３１と、目地基部３１の表面にインクジェットで印刷された目地印刷層３２とを有する目地３０と、表面材２０が目地３０で区分されてなる区分表面材部４０と、を備える建材１であって、目地３０と区分表面材部４０とが連結される連結部５０において、目地印刷層３２の柄３５と区分表面材部４０の柄４５とが連続している。【選択図】図１
2019073959.tif 000002
【特許請求の範囲】
【請求項１】
基材と、この基材に積層された表面材と、を備える積層構造体からなり、
この積層構造体の前記表面材の一部が前記基材が露出するように凹設された目地基部と、この目地基部の表面にインクジェットで印刷された目地印刷層とを有する目地と、
前記表面材が前記目地で区分されてなる区分表面材部と、
を備える建材であって、
前記目地と前記区分表面材部とが連結される連結部において、前記目地印刷層の柄と前記区分表面材部の柄とが連続していることを特徴とする建材。
【請求項２】
前記表面材は、突板又は化粧シートであり、
前記区分表面材部の柄は木目柄、前記目地印刷層の柄は木目柄であり、
前記区分表面材部の木目柄の一本の成長輪からなる木目曲線を表面材木目曲線、前記目地印刷層の木目柄の一本の成長輪からなる木目曲線を目地木目曲線、前記表面材木目曲線と前記目地木目曲線とが前記連結部において連結することにより形成される木目曲線を連結曲線、と定義したとき、
前記連結曲線は、前記表面材を表面側から見た場合に、前記連結部において変曲点を有するように連続している、請求項１に記載の建材。
【請求項３】
前記区分表面材部は、矩形であり、
前記連結曲線のうち、前記表面材を表面側から見た場合に前記連結部において前記目地木目曲線が前記表面材木目曲線よりも前記区分表面材部の一方端側に向けて変曲点を有するように曲がる連結曲線を第１曲り連結曲線、前記表面材を表面側から見た場合に前記連結部において前記目地木目曲線が前記表面材木目曲線よりも前記一方端側の反対側に向けて変曲点を有するように曲がる連結曲線を第２曲り連結曲線、と定義したとき、
１個の区分表面材部と、この区分表面材部と隣接する１個の目地印刷層とで形成する連結領域において、隣接する全ての前記連結曲線が複数本の第１曲り連結曲線のみからなる第１曲り連結曲線群、隣接する全ての前記連結曲線が複数本の第２曲り連結曲線のみからなる第２曲り連結曲線群、又は１個の第１曲り連結曲線群と１個の第２曲り連結曲線群とが隣接して形成されてなる２方向連結曲線群である、請求項２に記載の建材。
【請求項４】
基材と、この基材の表面に積層された突板からなる表面材とを備える積層構造体を用い、この積層構造体のうち、２枚の表面材の継ぎ目にあり、目地を形成する予定のある目地形成予定部の表面材の表面を撮像して前記突板の木目の画像を含む目地形成予定部画像データを取得する目地形成予定部撮像工程と、
前記目地形成予定部を、前記基材が露出するように前記表面材の表面の一部を凹設して目地基部を形成する目地基部加工工程と、
前記目地基部の形状を検出して目地基部領域検出データを作成する目地基部形状検出工程と、
前記目地形成予定部画像データから前記目地基部領域検出データと同一形状及び同一の大きさの画像を切り出して目地印刷用画像データを作成する目地印刷用画像データ作成工程と、
前記目地印刷用画像データに基づき前記目地基部にインクジェット印刷することにより、前記目地基部の表面に、前記目地印刷用画像データと同様の木目柄の目地印刷層を形成するインクジェット印刷工程と、
を有することを特徴とする建材の製造方法。
【請求項５】
基材と、この基材の表面に積層された突板からなる表面材とを備える積層構造体を、前記基材が露出するように前記表面材の表面の一部を凹設して目地基部を形成する目地基部加工工程と、
前記目地基部と、前記表面材が前記目地基部で区分されてなる区分表面材部のうち、前記目地基部に隣接しかつ前記表面材を表面側から見た場合に前記目地基部と同一形状及び同一大きさの部分である目地基部隣接部と、を含む目地基部含有部を撮像して、前記目地基部の画像である目地基部画像と前記目地基部隣接部の画像である目地基部隣接部画像とを含む目地基部含有部画像データを作成する目地基部含有部撮像工程と、
前記目地基部含有部画像データのうちの前記目地基部隣接部画像を、前記目地基部と前記区分表面材部とが連結される連結部を対象軸として前記目地基部画像側に反転させて得られる反転目地基部隣接部画像を含む反転目地基部隣接部画像データを作成する反転目地基部隣接部画像データ作成工程と、
前記反転目地基部隣接部画像データに基づき前記目地基部にインクジェット印刷することにより、前記目地基部の表面に、前記反転目地基部隣接部画像データと同様の木目柄の目地印刷層を形成するインクジェット印刷工程と、
を有することを特徴とする建材の製造方法。
【請求項６】
基材の表面に、画像認識可能な位置情報である画像認識可能位置情報を有する木目柄の画像データである化粧シート画像データを予め有する化粧シートを表面材として貼付し、基材とこの基材の表面に積層された表面材とを備える積層構造体を作製する化粧シート貼付工程と、
前記積層構造体を、前記基材が露出するように前記表面材の表面の一部を凹設して目地基部を形成する目地基部加工工程と、
前記積層構造体の区分表面材部の画像認識可能位置情報を画像認識する位置情報画像認識工程と、
前記画像認識可能位置情報と前記化粧シート画像データとに基づき、前記化粧シート画像データのうちの、前記積層構造体の目地基部に相当する部位である化粧シート目地基部相当領域を特定し、この化粧シート目地基部相当領域の画像データである目地基部相当領域化粧シート画像データを作成する目地基部相当領域化粧シート画像データ作成工程と、
前記目地基部相当領域化粧シート画像データに基づき前記目地基部にインクジェット印刷することにより、前記目地基部の表面に、前記目地基部相当領域化粧シート画像データと同様の木目柄の目地印刷層を形成するインクジェット印刷工程と、
を有することを特徴とする建材の製造方法。
【請求項７】
前記目地印刷用画像データ、前記反転目地基部隣接部画像データ、又は前記目地基部相当領域化粧シート画像データを、画像処理により略平行な木目曲線を全体的にＶ字形に傾斜させてＶ字木目曲線を有するＶ字画像データを作成するＶ字画像データ作成工程と、
前記Ｖ字画像データを矩形に成形して矩形Ｖ字画像データを作成する矩形Ｖ字画像データ作成工程とを有する、
請求項４〜６のいずれか１項に記載の建材の製造方法。
【発明の詳細な説明】
【技術分野】
【０００１】
本発明は、本物感、無垢感に優れた建材及びその製造方法に関する。
【背景技術】
【０００２】
従来、木材その他の材質からなる基材の表面に、木目や石目等の柄を印刷した建材が知られている。この建材は、パーケットフロア等のような本物感、無垢感を表現することが好ましい。例えば、特許文献１には、化粧シートや化粧板の表面に形成された目地等の凹部の着色方法として、化粧シートの表面と凹部とを全面着色した後、化粧シートの表面の着色剤を除去する方法が開示されている。
【先行技術文献】
【特許文献】
【０００３】
【特許文献１】特開２００５−３１３１４２号公報
【発明の概要】
【発明が解決しようとする課題】
【０００４】
しかしながら、特許文献１の方法で得られる化粧シートは、着色剤が除去された化粧シートの表面の模様と、着色剤が残存する凹部の模様とが、異なっており、また、凹部の模様は単一となり意匠性が低い。このため、特許文献１の方法で得られる化粧シートは、本物感、無垢感に欠けるという問題があった。
【０００５】
ここで、「本物感」とは、看者に、印刷により形成された印刷層の柄や模様がその柄や模様の表現する材質からなると、錯覚させる感覚を意味する。例えば、印刷層の柄が木目柄である場合、看者に、印刷により形成された印刷層の木目柄部分を、木材からなると錯覚させる感覚を「本物感」という。
【０００６】
また、「無垢感」とは、看者に、印刷により形成された印刷層の柄や模様が、その柄や模様の表現する材質からなり、かつその柄や模様の表現する部材が柄や模様の表現する材質を切り出したものであると、錯覚させる感覚を意味する。例えば、印刷層の柄が木目柄である場合、看者に、印刷により形成された印刷層の木目柄部分を、切り出した無垢の木材と錯覚させる感覚を「無垢感」という。
【０００７】
本発明は、上記課題に鑑みてなされたものである。本発明は、本物感、無垢感に優れた建材及びその製造方法を提供することを目的とする。
【課題を解決するための手段】
【０００８】
上記課題を解決するために、本発明の第１の態様に係る建材は、基材と、この基材に積層された表面材と、を備える積層構造体からなり、この積層構造体の前記表面材の一部が前記基材が露出するように凹設された目地基部と、この目地基部の表面にインクジェットで印刷された目地印刷層とを有する目地と、前記表面材が前記目地で区分されてなる区分表面材部と、を備える建材であって、前記目地と前記区分表面材部とが連結される連結部において、前記目地印刷層の柄と前記区分表面材部の柄とが連続していることを特徴とする。
【０００９】
また、本発明の第２の態様に係る建材の製造方法は、基材と、この基材の表面に積層された突板からなる表面材とを備える積層構造体を用い、この積層構造体のうち、２枚の表面材の継ぎ目にあり、目地を形成する予定のある目地形成予定部の表面材の表面を撮像して前記突板の木目の画像を含む目地形成予定部画像データを取得する目地形成予定部撮像工程と、前記目地形成予定部を、前記基材が露出するように前記表面材の表面の一部を凹設して目地基部を形成する目地基部加工工程と、前記目地基部の形状を検出して目地基部領域検出データを作成する目地基部形状検出工程と、前記目地形成予定部画像データから前記目地基部領域検出データと同一形状及び同一の大きさの画像を切り出して目地印刷用画像データを作成する目地印刷用画像データ作成工程と、前記目地印刷用画像データに基づき前記目地基部にインクジェット印刷することにより、前記目地基部の表面に、前記目地印刷用画像データと同様の木目柄の目地印刷層を形成するインクジェット印刷工程と、を有することを特徴とする。
【００１０】
また、本発明の第３の態様に係る建材の製造方法は、基材と、この基材の表面に積層された突板からなる表面材とを備える積層構造体を、前記基材が露出するように前記表面材の表面の一部を凹設して目地基部を形成する目地基部加工工程と、前記目地基部と、前記表面材が前記目地基部で区分されてなる区分表面材部のうち、前記目地基部に隣接しかつ前記表面材を表面側から見た場合に前記目地基部と同一形状及び同一大きさの部分である目地基部隣接部と、を含む目地基部含有部を撮像して、前記目地基部の画像である目地基部画像と前記目地基部隣接部の画像である目地基部隣接部画像とを含む目地基部含有部画像データを作成する目地基部含有部撮像工程と、前記目地基部含有部画像データのうちの前記目地基部隣接部画像を、前記目地基部と前記区分表面材部とが連結される連結部を対象軸として前記目地基部画像側に反転させて得られる反転目地基部隣接部画像を含む反転目地基部隣接部画像データを作成する反転目地基部隣接部画像データ作成工程と、前記反転目地基部隣接部画像データに基づき前記目地基部にインクジェット印刷することにより、前記目地基部の表面に、前記反転目地基部隣接部画像データと同様の木目柄の目地印刷層を形成するインクジェット印刷工程と、を有することを特徴とする。
【００１１】
また、本発明の第４の態様に係る建材の製造方法は、基材の表面に、画像認識可能な位置情報である画像認識可能位置情報を有する木目柄の画像データである化粧シート画像データを予め有する化粧シートを表面材として貼付し、基材とこの基材の表面に積層された表面材とを備える積層構造体を作製する化粧シート貼付工程と、前記積層構造体を、前記基材が露出するように前記表面材の表面の一部を凹設して目地基部を形成する目地基部加工工程と、前記積層構造体の区分表面材部の画像認識可能位置情報を画像認識する位置情報画像認識工程と、前記画像認識可能位置情報と前記化粧シート画像データとに基づき、前記化粧シート画像データのうちの、前記積層構造体の目地基部に相当する部位である化粧シート目地基部相当領域を特定し、この化粧シート目地基部相当領域の画像データである目地基部相当領域化粧シート画像データを作成する目地基部相当領域化粧シート画像データ作成工程と、前記目地基部相当領域化粧シート画像データに基づき前記目地基部にインクジェット印刷することにより、前記目地基部の表面に、前記目地基部相当領域化粧シート画像データと同様の木目柄の目地印刷層を形成するインクジェット印刷工程と、を有することを特徴とする。
【発明の効果】
【００１２】
本発明の建材によれば、本物感、無垢感に優れた建材を提供することができる。本発明の建材の製造方法によれば、本物感、無垢感に優れた建材の製造方法を提供することができる。
【図面の簡単な説明】
【００１３】
【図１】実施形態に係る建材の一例を示す図である。図１（ａ）は、建材の平面図であり、図１（ｂ）は、図１（ａ）のＡ−Ａ線に沿った断面図である。
【図２】図１を模式化して示す図である。図２（ａ）は、建材の平面図であり、図１（ｂ）は、図２（ａ）のＢ−Ｂ線に沿った模式的な断面図である。
【図３】第１曲り連結曲線群を説明する図である。
【図４】第２曲り連結曲線群を説明する図である。
【図５】２方向連結曲線群を説明する図である。
【図６】２方向連結曲線群を説明する図である。
【図７】ランダム連結曲線群を説明する図である。
【図８】建材の第１の製造方法を示す図である。
【図９】建材の第２の製造方法を示す図である。
【図１０】建材の第３の製造方法を示す図である。
【図１１】Ｖ字画像データ作成工程及び矩形Ｖ字画像データ作成工程を示す図である。
【発明を実施するための形態】
【００１４】
［建材］
実施形態に係る建材について、図面を参照して説明する。図１は、実施形態に係る建材の一例を示す図である。図１（ａ）は、建材の平面図であり、図１（ｂ）は、図１（ａ）のＡ−Ａ線に沿った断面図である。図２は、図１を模式化して示す図である。具体的には、図２（ａ）は、建材の平面図であり、図１（ｂ）は、図２（ａ）のＢ−Ｂ線に沿った模式的な断面図である。
【００１５】
図１及び２に示すように、建材１Ａ（１）は、基材１０と、この基材に積層された表面材２０と、を備える積層構造体５からなる。また、建材１Ａは、積層構造体５の表面材２０の一部が凹設されてなる目地基部３１とインクジェットで印刷された目地印刷層３２とを有する目地３０Ａ（３０）と、表面材２０が目地３０Ａで区分されてなる区分表面材部４０と、を備える。区分表面材部４０は、目地３０Ａが形成される前の表面材２０から、目地３０Ａの分だけ差し引いたものに相当する。
【００１６】
建材１Ａ（１）は、例えば、床材、壁材、天井材等として用いられる。
【００１７】
（積層構造体）
積層構造体５は、基材１０と、この基材１０に積層された表面材２０と、を備える。
【００１８】
＜基材＞
基材１０は、建材１Ａに強度を付与し、その表面に表面材２０が積層される部材である。基材１０の材質としては、特に限定されないが、例えば、木材、樹脂、セラミックス、石等が用いられる。
【００１９】
＜表面材＞
表面材２０は、基材１０の表面に積層されて建材１Ａの表面を装飾する部材である。表面材２０としては、例えば、突板２０Ａ、化粧シート２０Ｂ、印刷物からなる印刷層等を、用いることができる。化粧シート２０Ｂや印刷層としては、例えば、木目柄、石目柄のものが用いられる。印刷層は、例えばインクジェット印刷により形成される。
【００２０】
なお、本明細書では、表面材２０が突板２０Ａ。木目柄の化粧シート２０Ｂ及び木目柄の印刷層のいずれである場合も、表面材２０の柄を木目柄という。すなわち、本明細書では、表面材２０が突板２０Ａである場合の木目の模様も木目柄と称する。
【００２１】
基材１０と、この基材１０に積層された表面材２０と、を備える積層構造体５は、さらに、目地３０Ａと、区分表面材部４０とを備える。
【００２２】
＜目地＞
目地３０Ａは、積層構造体５の表面材２０の一部が基材１０が露出するように凹設されてなる目地基部３１と、この目地基部３１の表面にインクジェットで印刷された目地印刷層３２とを有する。
【００２３】
［目地基部］
目地基部３１は、積層構造体５の表面材２０の一部が基材１０が露出するように凹設されてなる。目地基部３１の形状は特に限定されないが、例えば、Ｖ字溝状、Ｕ字溝状等の溝状が用いられる。図１（ｂ）は、Ｖ字溝状の目地基部３１の例を示す。なお、表面材２０の一部に基材１０が露出する目地基部３１が形成されることにより、表面材２０は、目地基部３１で区分され、区分表面材部４０（４０ａ、４０ｂ）となる。
【００２４】
［目地印刷層］
目地印刷層３２は、目地基部の表面にインクジェットで印刷された印刷層である。目地印刷層の柄としては特に限定されないが、例えば、木目柄、石目柄が用いられる。目地基部３１の表面に目地印刷層３２が形成されると、目地基部３１と目地印刷層３２とからなる目地３０Ａが形成される。
【００２５】
図１及び図２に示すように、建材１Ａでは、区分表面材部４０ａ及び４０ｂの間にＶ字溝状の目地基部３１が存在する。目地基部３１のうち目地基部３１の最深部から区分表面材部４０ａ側にかけての部分には、区分表面材部４０ａの柄４５ａ（４５）に連続した柄３５ａ（３５）の目地印刷層３２ａが形成される。また、目地基部３１のうち目地基部３１の最深部から区分表面材部４０ｂ側にかけての部分には、区分表面材部４０ｂの柄４５ｂ（４５）に連続した柄３５ｂ（３５）の目地印刷層３２ｂが形成される。ここで、区分表面材部４０の柄４５と目地印刷層３２の柄３５とが連続するとは、後述のように、区分表面材部４０の柄４５と目地印刷層３２の柄３５とが一体感を有するように形成されることを意味する。
【００２６】
＜区分表面材部＞
区分表面材部４０は、積層構造体５を構成する表面材２０が、目地基部３１又は目地３０Ａで区分されたものである。例えば、基材１０と、基材１０に積層された１個の表面材２０と、を備える積層構造体５において、表面材２０が、１本の溝状の目地基部３１で区分されると、目地基部３１に接する区分表面材部４０が２個形成される。区分表面材部４０と表面材２０との相違点は、目地基部３１での区分の有無にあり、材質や厚さは同一である。なお、目地３０Ａは、目地基部３１を含むため、表面材２０が目地３０Ａで区分されることは、表面材２０が目地基部３１で区分されることに等しい。
【００２７】
＜連結部＞
区分表面材部４０は、表面材２０が目地基部３１又は目地３０Ａで区分されて形成されるため、区分表面材部４０と目地３０Ａの目地印刷層３２とは、連結している。なお、目地３０Ａは目地印刷層３２を含むため、区分表面材部４０と目地３０Ａとも連結している。この目地３０Ａと区分表面材部４０とが連結される部位を連結部５０と定義する。連結部５０は、目地３０Ａの区分表面材部４０側の端部であり、かつ区分表面材部４０の目地３０Ａ側の端部である。
【００２８】
図１及び図２に示すように、建材１Ａは、連結部５０において、目地印刷層の柄３５と区分表面材部の柄４５とが連続している。具体的には、目地印刷層の柄３５ａと区分表面材部の柄４５ａとが連続し、目地印刷層の柄３５ｂと区分表面材部の柄４５ｂとが連続している。ここで、区分表面材部４０の柄４５と目地印刷層３２の柄３５とが連続するとは、区分表面材部４０の柄４５と目地印刷層３２の柄３５とが一体感を有するように形成されることを意味する。以下、連結部５０において、区分表面材部４０の柄４５と目地印刷層３２の柄３５とが連続することについて、詳細に説明する。
【００２９】
［区分表面材部の柄と目地印刷層の柄との連続性］
図１（ａ）及び図２（ａ）に示すように、連結部５０において、区分表面材部４０の柄４５と目地印刷層３２の柄３５とは一体感を有するように形成されており、連続している。本明細書では、区分表面材部４０の柄４５と目地印刷層３２の柄３５が共に木目柄の場合の、区分表面材部４０の柄４５と目地印刷層３２の柄３５との連続性（以下、「木目柄連続性」という。）を、次のように定義する。すなわち、木目柄連続性を、「表面材木目曲線４６と目地木目曲線３６とが連結部５０において連結することにより形成される連結曲線６０が、表面材２０を表面側から見た場合に、連結部５０において変曲点５５を有するように連続していること」と定義する。
【００３０】
ここで、表面材木目曲線４６とは、区分表面材部４０の木目柄（柄）４５の一本の成長輪からなる木目曲線を意味する。例えば、図２（ａ）には、区分表面材部４０ａの木目柄（柄）４５ａの一本の成長輪からなる木目曲線である表面材木目曲線４６ａを示す。なお、区分表面材部４０ａには、表面材木目曲線４６ａ以外に、表面材木目曲線４６ｂ及び４６ｃも存在する。
【００３１】
また、目地木目曲線３６とは、目地印刷層３２の木目柄３５の一本の成長輪からなる木目曲線を意味する。例えば、図２（ａ）には、目地印刷層３２ａの木目柄（柄）３５ａの一本の成長輪からなる木目曲線である目地木目曲線３６ａを示す。なお、目地印刷層３２ａには、目地木目曲線３６ａ以外に、目地木目曲線３６ｂ及び３６ｃも存在する。
【００３２】
図２（ａ）に示すように、表面材木目曲線４６と目地木目曲線３６とは連結部５０において連結して連結曲線６０を形成している。具体的には、区分表面材部４０ａと目地印刷層３２ａとを含む領域において、表面材木目曲線４６ａａと目地木目曲線３６ａａとは連結部５０において連結して連結曲線６０ａａを形成している。また、区分表面材部４０ｂと目地印刷層３２ｂとを含む領域において、表面材木目曲線４６ｂｂと目地木目曲線３６ｂｂとは連結部５０において連結して連結曲線６０ｂｂを形成している。さらに、図２（ａ）には、連結曲線６０ａｂ、６０ａｃ、６０ｂｂ、６０ｂｃも存在する。
【００３３】
図２（ａ）に示す連結曲線６０は、全て表面材２０を表面側から見た場合に、連結部５０において変曲点５５を有するように連続している。具体的には、連結曲線６０ａａは、連結部５０において変曲点５５ａａ（５５）を有するように連続している。同様に、連結曲線６０ａｂ、６０ａｃ、６０ｂａ、６０ｂｂ、６０ｂｃは、それぞれ、連結部５０において変曲点５５ａｂ、５５ａｃ、５５ｂａ、５５ｂｂ、５５ｂｃを有するように連続している。
【００３４】
ここで、変曲点５５とは、連結曲線６０の一回微分の値の変化が離散的に変化する点を意味する。
【００３５】
連結曲線６０が、連結部５０において変曲点５５を有するように連続していると、区分表面材部４０と目地印刷層３２との連続柄を作製できるため、本物感、無垢感に優れた建材１Ａが得られる。具体的には、成長輪（年輪）を切り出した木目を表現することができるため、本物感が高い。
【００３６】
［連結曲線の曲がり方］
建材１Ａは、１個の区分表面材部４０と、この区分表面材部４０と隣接する１個の目地印刷層３２とで形成する連結領域５２において、連結部５０を横切る全ての連結曲線６０は、特定の曲がり方をする連結曲線６０からなる連結曲線群を構成することが好ましい。具体的には、区分表面材部４０が矩形である場合、連結領域５２において連結部５０を横切る全ての連結曲線６０の集合体が、第１曲り連結曲線群７１、第２曲り連結曲線群７２又は２方向連結曲線群７３であると、建材１Ａが本物感、無垢感に優れるため好ましい。特に、連結領域５２において連結部５０を横切る全ての連結曲線６０の集合体が、２方向連結曲線群７３である場合は、節を切り出した木目を表現することができるため、高い本物感を実現することができる。
【００３７】
ここで、第１曲り連結曲線群７１とは、複数本の第１曲り連結曲線６１のみからなる群である。また、第２曲り連結曲線群７２とは、複数本の第２曲り連結曲線６２のみからなる群である。さらに、２方向連結曲線群７３とは、１個の第１曲り連結曲線群７１と１個の第２曲り連結曲線群７２とが隣接して形成されてなる群である。これらについて、図３〜図７を参照して説明する。
【００３８】
第１曲り連結曲線６１とは、連結曲線６０のうち、表面材２０を表面側から見た場合に連結部５０において目地木目曲線３６が表面材木目曲線４６よりも区分表面材部４０の一方端４３側に向けて変曲点を有するように曲がる連結曲線６０である。ここで、区分表面材部４０の一方端４３とは、連結領域５２を区分表面材部４０が手前側、目地印刷層３２が向こう側になるようにして見たときの区分表面材部４０の右側端部を意味する。
【００３９】
例えば、図３に示す連結領域５２Ａでは、連結曲線６０が、連結領域５２Ａを区分表面材部４０が手前側になるようにして見たときの区分表面材部４０の右側端部４３側に、変曲点５５を有して曲がる第１曲り連結曲線６１になっている。また、図３に示す連結領域５２Ａでは、全ての連結曲線６０が、第１曲り連結曲線６１ａ、６１ｂ、６１ｃ、６１ｄになっている。このように隣接する全ての連結曲線６０が複数本の第１曲り連結曲線６１のみからなる第１曲り連結曲線６１の集合体を第１曲り連結曲線群７１という。図３に示す連結領域５２Ａでは、第１曲り連結曲線群７１のため、建材１Ａが本物感、無垢感に優れる。
【００４０】
第２曲り連結曲線６２とは、連結曲線６０のうち、表面材２０を表面側から見た場合に連結部５０において目地木目曲線３６が表面材木目曲線４６よりも区分表面材部４０の一方端４３の反対側に向けて変曲点を有するように曲がる連結曲線６０である。ここで、区分表面材部４０の一方端４３の反対側とは、連結領域５２を区分表面材部４０が手前側、目地印刷層３２が向こう側になるようにして見たときの区分表面材部４０の左側端部４４側を意味する。
【００４１】
例えば、図４に示す連結領域５２Ｂでは、連結曲線６０が、連結領域５２Ｂを区分表面材部４０が手前側になるようにして見たときの区分表面材部４０の左側端部４４側に、変曲点５５を有して曲がる第２曲り連結曲線６２になっている。また、図４に示す連結領域５２Ｂでは、全ての連結曲線６０が、第２曲り連結曲線６２ａ、６２ｂ、６２ｃ、６２ｄになっている。このように隣接する全ての連結曲線６０が複数本の第２曲り連結曲線６２のみからなる第２曲り連結曲線６２の集合体を第２曲り連結曲線群７２という。図４に示す連結領域５２Ｂでは、第２曲り連結曲線群７２のため、建材１Ａが本物感、無垢感に優れる。
【００４２】
２方向連結曲線群７３とは、１個の第１曲り連結曲線群７１と１個の第２曲り連結曲線群７２とが隣接して形成されてなる群である。例えば、図５に示す連結領域５２Ｃでは、第１曲り連結曲線６１ａ、６１ｂからなる第１曲り連結曲線群７１と、第２曲り連結曲線６２ａ、６２ｂからなる第２曲り連結曲線群７２と、が隣接して１個ずつ形成され、２方向連結曲線群７３が形成されている。
【００４３】
また、図６に示す連結領域５２Ｄでは、第１曲り連結曲線６１ｃ、６１ｄからなる第１曲り連結曲線群７１と、第２曲り連結曲線６２ｃ、６２ｄからなる第２曲り連結曲線群７２と、が隣接して１個ずつ形成され、２方向連結曲線群７３が形成されている。
【００４４】
図５に示す連結領域５２Ｃ及び図６に示す連結領域５２Ｄでは、２方向連結曲線群７３のため、建材１Ａが本物感、無垢感に優れる。
【００４５】
なお、図７に示す連結領域５２Ｅでは、連結曲線６０が、図中上方から、第２曲り連結曲線６２ａ、第１曲り連結曲線６１ａ、第２曲り連結曲線６２ｂ、第１曲り連結曲線６１ｂ、第２曲り連結曲線６２ｃの順に形成されている。このように、連結領域５２Ｅの連結曲線６０の集合体は、第１曲り連結曲線群７１、第２曲り連結曲線群７２及び２方向連結曲線群７３のいずれでもないランダム連結曲線群７５であるため、建材に本物感や無垢感を付与せず、建材１Ａには適切でない。
【００４６】
＜効果＞
建材１Ａによれば、区分表面材部４０と目地印刷層３２との連続柄を作製できるため、本物感、無垢感に優れた建材が得られる。
【００４７】
［建材の製造方法］
建材１Ａは、例えば、以下の製造方法により製造することができる。以下、建材１Ａの第１の製造方法、第２の製造方法、第３の製造方法及び第４の製造方法について説明する。図８は、建材の第１の製造方法を示す図である。図９は、建材の第２の製造方法を示す図である。図１０は、建材の第３の製造方法を示す図である。なお、図８〜図１０において、上下２列に配置された図は、下側の図は平面図であり、上側の図は、下側の平面図の紙面上下方向の中央付近を紙面に垂直な面で切断したときの断面図である。図１１は、Ｖ字画像データ作成工程と、矩形Ｖ字画像データ作成工程を示す図である。
【００４８】
（第１の製造方法）
第１の製造方法は、目地形成予定部撮像工程と、目地基部加工工程と、目地基部形状検出工程と、目地印刷用画像データ作成工程と、インクジェット印刷工程と、を有する。
【００４９】
＜目地形成予定部撮像工程＞
目地形成予定部撮像工程は、積層構造体５のうち、２枚の表面材２０Ａの継ぎ目にあり、目地３０を形成する予定のある目地形成予定部８１の表面材２０Ａの表面を撮像して突板２０Ａの木目の画像を含む目地形成予定部画像データ８２を取得する工程である。ここで、積層構造体５は、基材１０と、この基材１０の表面に積層された突板２０Ａからなる表面材２０とを備える。
【００５０】
第１の製造方法では、はじめに、図８（ａ）に示すように、基材１０と、この基材１０の表面に積層された突板２０Ａ（２０ａ、２０ｂ）からなる表面材２０と、を備えた積層構造体５を用意する。
【００５１】
第１の製造方法では、次に、図８（ｂ）に示すように、撮像部１０１を用いて目地形成予定部撮像工程を行う。目地形成予定部撮像工程により、目地形成予定部８１の画像データである目地形成予定部画像データ８２を取得する。
【００５２】
＜目地基部加工工程＞
目地基部加工工程は、
目地形成予定部８１を、基材１０が露出するように表面材２０の表面の一部を凹設して目地基部３１を形成する工程である。
【００５３】
具体的には、図８（ｃ）に示すように、公知の手段を用いて目地基部３１を形成する。表面材２０の表面の一部に目地基部３１が形成されることにより、表面材２０は、区分表面材部４０となる。
【００５４】
＜目地基部形状検出工程＞
目地基部形状検出工程は、目地基部３１の形状を検出して目地基部領域検出データ９５を作成する工程である。
【００５５】
具体的には、図８（ｄ）に示すように、目地基部形状検出部１０３を用いて目地基部３１の形状を検出して目地基部領域検出データ９５を作成する。
【００５６】
＜目地印刷用画像データ作成工程＞
目地印刷用画像データ作成工程は、目地形成予定部画像データ８２から目地基部領域検出データ９５と同一形状及び同一の大きさの画像を切り出して目地印刷用画像データ９６を作成する工程である。
【００５７】
具体的には、図８（ｅ）に示すように、公知の手段を用いて目地形成予定部画像データ８２から目地印刷用画像データ９６を作成する。
【００５８】
＜インクジェット印刷工程＞
インクジェット印刷工程は、目地印刷用画像データ９６に基づき目地基部３１にインクジェット印刷することにより、目地基部３１の表面に、目地印刷用画像データ９６と同様の木目柄の目地印刷層３２を形成する工程である。
【００５９】
具体的には、図８（ｆ）に示すように、インクジェット印刷部１０５を用いてインクジェット印刷することにより、目地基部３１の表面に、目地印刷用画像データ９６と同様の木目柄の目地印刷層３２を形成する。
【００６０】
インクジェット印刷工程を経ると、建材１Ａが得られる。
【００６１】
＜効果＞
第１の製造方法によれば、区分表面材部４０と目地印刷層３２との連続柄を作製できるため、本物感、無垢感に優れた建材が得られる。
【００６２】
（第２の製造方法）
第２の製造方法は、目地基部加工工程と、目地基部含有部撮像工程と、反転目地基部隣接部画像データ作成工程と、インクジェット印刷工程と、を有する。
【００６３】
＜目地基部加工工程＞
目地基部加工工程は、基材１０と、この基材１０の表面に積層された突板２０Ａからなる表面材２０とを備える積層構造体５を、基材１０が露出するように表面材２０の表面の一部を凹設して目地基部３１を形成する工程である。
【００６４】
第２の製造方法では、はじめに、第１の製造方法と同様に図８（ａ）に示すように、基材１０と、この基材１０の表面に積層された突板２０Ａ（２０ａ、２０ｂ）からなる表面材２０と、を備えた積層構造体５を用意する。
【００６５】
第２の製造方法では、次に、図９（ａ）に示すように、公知の手段を用いて、積層構造体５を、基材１０が露出するように表面材２０の表面の一部を凹設して目地基部３１を形成する。表面材２０の表面の一部に目地基部３１が形成されることにより、表面材２０は、区分表面材部４０となる。
【００６６】
＜目地基部含有部撮像工程＞
目地基部含有部撮像工程は、目地基部含有部８４を撮像して、目地基部３１の画像である目地基部画像８０と目地基部隣接部８３の画像である目地基部隣接部画像８５とを含む目地基部含有部画像データ８６を取得する工程である。ここで、目地基部含有部８４とは、目地基部３１と目地基部隣接部８３とを含む部分である。ここで、目地基部隣接部８３とは、表面材２０が目地基部３１で区分されてなる区分表面材部４０のうち、目地基部３１に隣接しかつ表面材２０を表面側から見た場合に目地基部３１と同一形状及び同一大きさの部分である目地基部隣接部８３と、を含む部分である。
【００６７】
具体的には、図９（ｂ）に示すように、撮像部１０１を用いて目地基部含有部８４を撮像して、目地基部３１の画像である目地基部画像８０と、目地基部隣接部８３の画像である目地基部隣接部画像８５と、を含む目地基部含有部画像データ８６を取得する
【００６８】
＜反転目地基部隣接部画像データ作成工程＞
反転目地基部隣接部画像データ作成工程は、目地基部含有部画像データ８６のうちの目地基部隣接部画像８５を反転させて得られる反転目地基部隣接部画像８７を含む反転目地基部隣接部画像データ８８を作成する工程である。目地基部隣接部画像８５の反転は、目地基部３１と区分表面材部４０とが連結される連結部５０を対象軸として目地基部画像８０側に反転させるように行う。
【００６９】
具体的には、図９（ｃ）に示すように、はじめに、目地基部含有部画像データ８６のうちの目地基部隣接部画像８５（８５ａ、８５ｂ）を、連結部５０を対象軸として目地基部画像８０（８０ａ、８０ｂ）側に反転させる。次に、得られた２つの反転目地基部隣接部画像８７（８７ａ、８７ｂ）を隙間なく隣接するように合体させて反転目地基部隣接部画像データ８８を作成する。
【００７０】
＜インクジェット印刷工程＞
インクジェット印刷工程は、反転目地基部隣接部画像データ８８に基づき目地基部３１にインクジェット印刷することにより、目地基部３１の表面に、反転目地基部隣接部画像データ８８と同様の木目柄の目地印刷層３２を形成する工程である。
【００７１】
具体的には、図９（ｄ）に示すように、インクジェット印刷部１０５を用いてインクジェット印刷することにより、目地基部３１の表面に、反転目地基部隣接部画像データ８８と同様の木目柄の目地印刷層３２を形成する。
【００７２】
インクジェット印刷工程を経ると、建材１Ａが得られる。
【００７３】
＜効果＞
第２の製造方法によれば、区分表面材部４０と目地印刷層３２との連続柄を作製できるため、本物感、無垢感に優れた建材が得られる。
【００７４】
（第３の製造方法）
第３の製造方法は、化粧シート貼付工程と、目地基部加工工程と、位置情報画像認識工程と、目地基部相当領域化粧シート画像データ作成工程と、インクジェット印刷工程と、を有する。
【００７５】
＜化粧シート貼付工程＞
化粧シート貼付工程は、基材１０の表面に、化粧シート２０Ｂを表面材２０として貼付し、基材１０とこの基材１０の表面に積層された表面材２０とを備える積層構造体５を得る工程である。なお、化粧シート２０Ｂは、画像認識可能な位置情報である画像認識可能位置情報を有する木目柄の画像データである化粧シート画像データ９１を予め有するものを用いる。
【００７６】
具体的には、図１０（ａ）に示すように、ローラ１１１を用いてロール状の化粧シート２０Ｂを基材１０の表面に貼付して積層構造体５を作製し、次いで、切断部１１２を用いて、積層構造体５を適切な大きさに切断する。
【００７７】
＜目地基部加工工程＞
目地基部加工工程は、積層構造体５を、基材１０が露出するように表面材２０の表面の一部を凹設して目地基部３１を形成する工程である。
【００７８】
具体的には、公知の手段を用いて、積層構造体５を、基材１０が露出するように表面材２０の表面の一部を凹設して目地基部３１を形成する。表面材２０の表面の一部に目地基部３１が形成されることにより、表面材２０は、区分表面材部４０となる。
【００７９】
＜位置情報画像認識工程＞
位置情報画像認識工程は、積層構造体５の区分表面材部４０の画像認識可能位置情報を画像認識する工程である。区分表面材部４０の画像認識可能位置情報は、化粧シート２０Ｂ中に含まれ、化粧シート２０Ｂにおける位置を画像認識可能な位置情報である。積層構造体５においては目地基部３１の凹設により、化粧シート２０Ｂが区分表面材部４０となっているため、画像認識可能位置情報は区分表面材部４０中に存在する。画像認識可能位置情報としては、例えば、隠しアライメントマークや、２値化により画像認識（位置検出）可能な木目柄が用いられる。
【００８０】
具体的には、図１０（ｂ）に示すように、撮像部１０１を用いて区分表面材部４０に含まれる画像認識可能位置情報を画像認識し、さらに画像認識可能位置情報と目地基部３１の位置との位置関係を画像認識することにより、目地基部３１の位置を認識する。
【００８１】
＜目地基部相当領域化粧シート画像データ作成工程＞
目地基部相当領域化粧シート画像データ作成工程は、化粧シート目地基部相当領域９２を特定し、この化粧シート目地基部相当領域９２の画像データである目地基部相当領域化粧シート画像データ９３を作成する工程である。ここで、化粧シート目地基部相当領域９２とは、画像認識可能位置情報と化粧シート画像データ９１とに基づき特定された、化粧シート画像データ９１のうちの、積層構造体５の目地基部３１に相当する部位である。
【００８２】
具体的には、図１０（ｃ）に示すように、はじめに、画像認識可能位置情報と化粧シート画像データ９１とに基づき、化粧シート画像データ９１のうちの、積層構造体５の目地基部３１に相当する部位として化粧シート目地基部相当領域９２を特定する。次に、化粧シート画像データ９１のうちの、化粧シート目地基部相当領域９２に相当する画像データを抽出し、これを目地基部相当領域化粧シート画像データ９３とする。
【００８３】
＜インクジェット印刷工程＞
インクジェット印刷工程は、目地基部相当領域化粧シート画像データ９３に基づき目地基部３１にインクジェット印刷することにより、目地基部３１の表面に、目地基部相当領域化粧シート画像データ９３と同様の木目柄の目地印刷層３２を形成する工程である。
【００８４】
具体的には、図１０（ｄ）に示すように、インクジェット印刷部１０５を用いてインクジェット印刷することにより、目地基部３１の表面に、目地基部相当領域化粧シート画像データ９３と同様の木目柄の目地印刷層３２を形成する。
【００８５】
＜効果＞
第３の製造方法によれば、区分表面材部４０と目地印刷層３２との連続柄を作製できるため、本物感、無垢感に優れた建材が得られる。
【００８６】
また、第３の製造方法によれば、化粧シートをランダム位置に貼り付けた場合でも、区分表面材部４０と目地印刷層３２との連続柄を作製できるため、本物感、無垢感に優れた建材が得られる。
【００８７】
（その他の工程）
第１〜第３の製造方法は、さらに、Ｖ字画像データ作成工程と、矩形Ｖ字画像データ作成工程とを有していてもよい。図１１は、Ｖ字画像データ作成工程及び矩形Ｖ字画像データ作成工程を示す図である。
【００８８】
＜Ｖ字画像データ作成工程＞
Ｖ字画像データ作成工程は、目地印刷用画像データ９６等の画像データを、画像処理により略平行な木目曲線を全体的にＶ字形に傾斜させてＶ字木目曲線９４を有するＶ字画像データ９７を作成する工程である。画像データとしては、第１の製造方法の目地印刷用画像データ９６、第２の製造方法の反転目地基部隣接部画像データ８８、第３の製造方法の目地基部相当領域化粧シート画像データ９３等が用いられる。
【００８９】
例えば、画像データが、図１１（ａ）に示す、目地印刷用画像データ部分９６ａと目地印刷用画像データ部分９６ｂとからなる目地印刷用画像データ９６である場合について具体的に説明する。
【００９０】
Ｖ字画像データ作成工程では、図１１（ａ）に示す目地印刷用画像データ９６に対し、画像処理により略平行な木目曲線を全体的にＶ字形に傾斜させることにより、図１１（ｂ）に示すＶ字木目曲線９４を有するＶ字画像データ９７を作成する。ここで、Ｖ字木目曲線９４とは、目地印刷用画像データ部分９６ａ中の木目曲線と目地印刷用画像データ部分９６ｂ中の木目曲線とが、Ｖ字状と認識できるように接続されている目地曲線を意味する。
【００９１】
図１１（ｂ）に示すように、Ｖ字木目曲線９４を有するＶ字画像データ９７は、Ｖ字画像データ部分９７ａとＶ字画像データ部分９７ｂからなり、全体の形状が、Ｖ字形になっている。なお、Ｖ字画像データ９７は、目地印刷用画像データ９６に比較して、符号Ｑの部分が突出しており、一方符号Ｒの部分が凹んだ形状になっている。なお、Ｖ字画像データ９７は、目地印刷用画像データ９６と同一面積になっている。
【００９２】
＜矩形Ｖ字画像データ作成工程＞
矩形Ｖ字画像データ作成工程は、Ｖ字画像データ作成工程で作成されたＶ字画像データ９７を矩形に成形して矩形Ｖ字画像データ９８を作成する工程である。Ｖ字画像データ９７は、目地印刷用画像データ９６等の画像データに対し、形状が異なるものの面積は同一である。このため、Ｖ字画像データ９７から部分的に切り取った切片をＶ字画像データ９７の他の部位に張り付ける画像処理を行うことにより、目地印刷用画像データ９６等の画像データと同じ矩形でかつ同一面積の矩形Ｖ字画像データ９８を作成することが可能である。
【００９３】
例えば、図１１（ｂ）に示すＶ字画像データ９７に対し、符号Ｑの部分を切り取り、この部分を符号Ｒの部分に貼り付ける画像処理を行うことにより、図１１（ｃ）に示す矩形Ｖ字画像データ９８を作成することができる。矩形Ｖ字画像データ９８は、外形が矩形であるものの、Ｖ字木目曲線９４を有する。このため、この矩形Ｖ字画像データ９８に基づいて第１〜第３の製造方法のインクジェット印刷工程を行うと、平面視したときでも立体的に見える目地印刷層３２を含む、建材１Ｂが得られる。
【００９４】
＜効果＞
第１〜第３の製造方法において、Ｖ字画像データ作成工程及び矩形Ｖ字画像データ作成工程を行うと、切り出し加工で形成された部分の内部の木目表現を、目地印刷層３２に付与することができる。
【００９５】
以上、実施例に沿って本実施形態の内容を説明したが、本実施形態はこれらの記載に限定されるものではなく、種々の変形及び改良が可能であることは、当業者には自明である。
【符号の説明】
【００９６】
１、１Ａ、１Ｂ  建材
５  積層構造体
１０  基材
２０  表面材
２０Ａ  突板（表面材）
２０Ｂ  化粧シート（表面材）
３０、３０Ａ、３０Ｃ  目地
３１  目地基部
３２  目地印刷層
３５  目地印刷層の柄（目地印刷層の木目柄）
３６  目地木目曲線
４０  区分表面材部
４２  区分表面材部の端部
４３  区分表面材部の一方端（区分表面材部４０の右側端部）
４４  区分表面材部の他方端（区分表面材部４０の左側端部）
４５  区分表面材部の柄（区分表面材部の木目柄）
４６  表面材木目曲線
５０  連結部
５２  連結領域
５５  変曲点
６０  連結曲線
６１  第１曲り連結曲線
６２  第２曲り連結曲線
７１  第１曲り連結曲線群
７２  第２曲り連結曲線群
７３  ２方向連結曲線群
７５  ランダム連結曲線群
８０  目地基部画像
８１  目地形成予定部
８２  目地形成予定部画像データ
８３  目地基部隣接部
８４  目地基部含有部
８５  目地基部隣接部画像
８６  目地基部含有部画像データ
８７  反転目地基部隣接部画像
８８  反転目地基部隣接部画像データ
９１  化粧シート画像データ
９２  化粧シート目地基部相当領域
９３  目地基部相当領域化粧シート画像データ
９４  Ｖ字木目曲線
９５  目地基部領域検出データ
９６  目地印刷用画像データ
９７  Ｖ字画像データ
９８  矩形Ｖ字画像データ
１０１  撮像部
１０３  目地基部形状検出部
１０５  インクジェット印刷部
１１１  ローラ
１１２  切断部
【図１】
2019073959.tif 000003
【図２】
2019073959.tif 000004
【図３】
2019073959.tif 000005
【図４】
2019073959.tif 000006
【図５】
2019073959.tif 000007
【図６】
2019073959.tif 000008
【図７】
2019073959.tif 000009
【図８】
2019073959.tif 000010
【図９】
2019073959.tif 000011
【図１０】
2019073959.tif 000012
【図１１】
2019073959.tif 000013